【手続補正書】
【提出日】平成17年2月28日(2005.2.28)
【手続補正１】
【補正対象書類名】明細書
【補正対象項目名】特許請求の範囲
【補正方法】変更
【補正の内容】
【特許請求の範囲】
【請求項１】
種類の異なる素材が一の当該種類について一又は複数含まれると共に前記各素材間の相関関係を示す相関情報と予め設定された情報量を有する単位情報により構成されている放送情報を記録媒体に記録する情報記録装置において、
前記相関情報に基づいて、前記単位情報と前記素材との関係を識別するための識別情報と各前記素材の種類を示す種類情報とを含む、前記素材が属する素材群を示す素材群情報を生成する生成手段と、
前記生成された素材群情報を、前記放送情報と共に前記記録媒体に記録する記録手段と、
を備えることを特徴とする情報記録装置。
【請求項２】
請求項１に記載の情報記録装置において、
前記放送情報はＢＳデジタル放送により放送されている放送情報であると共に、
前記相関情報は当該ＢＳデジタル放送により放送される記述子であることを特徴とする情報記録装置。
【請求項３】
請求項１又は２に記載の情報記録装置により、前記素材群情報が前記放送情報と共に記録された前記記録媒体から当該放送情報を再生する情報再生装置において、
前記放送情報の再生に先立って、再生すべき素材を選択するための選択手段と、
前記選択された素材が属する前記素材群に対応する前記素材群情報の内容を表示するための表示信号を生成する生成手段と、
を備えることを特徴とする情報再生装置。
【請求項４】
種類の異なる素材が一の当該種類について一又は複数含まれると共に前記各素材間の相関関係を示す相関情報と予め設定された情報量を有する単位情報により構成されている放送情報を記録媒体に記録する情報記録方法において、
前記相関情報に基づいて、前記単位情報と前記素材との関係を識別するための識別情報と各前記素材の種類を示す種類情報とを含む、前記素材が属する素材群を示す素材群情報を生成する生成工程と、
前記生成された素材群情報を、前記放送情報と共に前記記録媒体に記録する記録工程と、
を備えることを特徴とする情報記録方法。
【請求項５】
請求項４に記載の情報記録方法において、
前記放送情報はＢＳデジタル放送により放送されている放送情報であると共に、
前記相関情報は当該ＢＳデジタル放送により放送される記述子であることを特徴とする情報記録方法。
【請求項６】
請求項４又は５に記載の情報記録方法により前記素材群情報が前記放送情報と共に記録された前記記録媒体から当該放送情報を再生する情報再生方法において、
前記放送情報の再生に先立って、再生すべき素材を選択するための選択工程と、
前記選択された素材が属する前記素材群に対応する前記素材群情報の内容を表示するための表示信号を生成する生成工程と、
を備えることを特徴とする情報再生方法。
【請求項７】
種類の異なる素材が一の当該種類について一又は複数含まれると共に前記各素材間の相関関係を示す相関情報と予め設定された情報量を有する単位情報により構成されている放送情報を記録媒体に記録する情報記録装置に含まれるコンピュータを、
前記相関情報に基づいて、前記単位情報と前記素材との関係を識別するための識別情報と各前記素材の種類を示す種類情報とを含む、前記素材が属する素材群を示す素材群情報を生成する生成手段、及び、
前記生成された素材群情報を、前記放送情報と共に前記記録媒体に記録する記録手段、
として機能させることを特徴とする情報記録用プログラム。
【請求項８】
請求項７に記載の情報記録用プログラムにおいて、
前記放送情報はＢＳデジタル放送により放送されている放送情報であると共に、
前記相関情報は当該ＢＳデジタル放送により放送される記述子であることを特徴とする情報記録用プログラム。
【請求項９】
請求項１又は２に記載の情報記録装置により前記素材群情報が前記放送情報と共に記録された前記記録媒体から当該放送情報を再生する情報再生装置に含まれる再生コンピュータを、
前記放送情報の再生に先立って、再生すべき素材を選択するための選択手段、及び、
前記選択された素材が属する前記素材群に対応する前記素材群情報の内容を表示するための表示信号を生成する生成手段、
として機能させることを特徴とする情報再生用プログラム。
【請求項１０】
請求項７又は８に記載の情報記録用プログラムが前記記録コンピュータで読み取り可能に記録されていることを特徴とする情報記録媒体。
【請求項１１】
請求項９に記載の情報再生用プログラムが前記再生コンピュータで読み取り可能に記録されていることを特徴とする情報記録媒体。
【手続補正２】
【補正対象書類名】明細書
【補正対象項目名】０００７
【補正方法】変更
【補正の内容】
【０００７】
【課題を解決するための手段】
上記の課題を解決するために、請求項１に記載の発明は、種類の異なる素材が一の当該種類について一又は複数含まれると共に前記各素材間の相関関係を示す相関情報と予め設定された情報量を有する単位情報(TS-Packet)により構成されているトランスポートストリーム(Transport stream)等の放送情報をハードディスク等の記録媒体に記録する情報記録装置において、前記相関情報に基づいて、前記単位情報と前記素材との関係を識別するための識別情報(PID)と各前記素材の種類を示す種類情報(CTY)とを含む、前記素材が属する素材群を示す素材群情報(CGIFn)を生成するコントローラ等の生成手段と、前記生成された素材群情報を、前記放送情報と共に前記記録媒体に記録するコントローラ等の記録手段と、を備える。
【手続補正３】
【補正対象書類名】明細書
【補正対象項目名】００１３
【補正方法】変更
【補正の内容】
【００１３】
上記の課題を解決するために、請求項４に記載の発明は、種類の異なる素材が一の当該種類について一又は複数含まれると共に前記各素材間の相関関係を示す相関情報と予め設定された情報量を有する単位情報(TS-Packet)により構成されているトランスポートストリーム(Transport stream)等の放送情報を記録媒体に記録する情報記録方法において、前記相関情報に基づいて、前記単位情報と前記素材との関係を識別するための識別情報(PID)と各前記素材の種類を示す種類情報(CTY)とを含む、前記素材が属する素材群を示す素材群情報(CGIFn)を生成する生成工程と、前記生成された素材群情報を、前記放送情報と共に前記記録媒体に記録する記録工程と、を備える。
【手続補正４】
【補正対象書類名】明細書
【補正対象項目名】００１９
【補正方法】変更
【補正の内容】
【００１９】
上記の課題を解決するために、請求項７に記載の発明は、種類の異なる素材が一の当該種類について一又は複数含まれると共に前記各素材間の相関関係を示す相関情報と予め設定された情報量を有する単位情報(TS-Packet)により構成されているトランスポートストリーム(Transport stream)等の放送情報をハードディスク等の記録媒体に記録する情報記録装置に含まれるコンピュータを、前記相関情報に基づいて、前記単位情報と前記素材との関係を識別するための識別情報(PID)と各前記素材の種類を示す種類情報(CTY)とを含む、前記素材が属する素材群を示す素材群情報(CGIFn)を生成する生成手段、及び、前記生成された素材群情報を、前記放送情報と共に前記記録媒体に記録する記録手段、として機能させる。